(57)【要約】【課題】制御素子の不正取り替え、不正改造を効果的に防止することが可能な上、安価かつ容易に製造することが可能な遊技機用制御装置を提供することにある。【解決手段】制御装置１は、外カバー６に切断容易に設けられた各ネジ保持部９，９・・の内の左右の一つずつを、ワンウェイタイプのネジ１３，１３によって、内カバー５のネジ螺着部４０，４０に螺着することによって、外カバー６と内カバー５とが合着し、制御基板４を覆った状態になっている。また、ネジ螺着部４０、４０と螺着したネジ保持部９，９・・内の各ネジ１３，１３のヘッド１６には、合成樹脂製の被覆部材３が超音波を利用して溶着された状態になっている。【選択図】図２
2009201694.tif 000002
【特許請求の範囲】
【請求項１】
切断可能なネジ保持部を設けた外カバーと、その外カバーと合致する内カバーとによって、制御素子を設置した制御基板が覆われているとともに、前記ネジ保持部が、ワンウェイタイプのネジによって内カバーに螺着された遊技機用制御装置であって、
前記内カバーに螺着されたネジ保持部内のネジのヘッド部分が、超音波を利用して溶融させた合成樹脂によって覆われていることを特徴とする遊技機用制御装置。
【請求項２】
遊技機に搭載される制御基板を覆うための制御基板用収納ユニットであって、
ワンウェイタイプのネジを保持した切断可能なネジ保持部が設けられた外カバーと、
前記各ネジ保持部と螺着するためのネジ螺着部が設けられた内カバーと、
前記ネジ保持部内のネジのヘッド部分に溶着させるための合成樹脂製の被覆部材とからなることを特徴とする遊技機の制御基板用収納ユニット。
【請求項３】
前記被覆部材が、扁平な円柱状体の下面の外周際の部分を下向きに突出させたものであることを特徴とする請求項２に記載の遊技機の制御基板用収納ユニット。
【発明の詳細な説明】
【技術分野】
【０００１】
本発明は、パチンコ機、スロットマシーン等の遊技機に用いる遊技機用制御装置に関するものである。
【背景技術】
【０００２】
遊技機の一種であるパチンコ機には、制御装置が設けられており、内部の制御基板上にＲＯＭやＣＰＵ等の制御素子が設置されている。かかる制御素子は、パチンコ機の作動内容を制御するものであるため、パチンコ機が遊技者にとって都合良く作動するように、不正に取り替えられたり不正に改造されたりすることがある。このため、かかる不正を防止するために、従来の遊技機用制御装置の中には、切断可能な複数のネジ保持部を左右両端縁に設けた外カバーと、その外カバーと合致する内カバーとによって、制御素子を設置した制御基板を覆うとともに、左右のネジ保持部の内の一つずつを、かしめネジ（基端部の外面に対して垂直な面と基端部の外面に対して緩やかに傾斜した面とを有するネジ突起を基端部に設けたもの）を用いて、ドライバ等では外れないように内カバーに螺着することにより、ネジ保持部を切断しなければ外カバーを取り外すことができないようにして、外カバーの取り外しの痕跡が残るように構成したものがある。
【０００３】
【特許文献１】特開平１１−０００４４４号公報
【０００４】
また、上記の如く切断可能なネジ保持部を設けた遊技機用制御装置であっても、かしめネジのヘッドに電気ドリル等で孔をあけられると、それらの孔を利用してネジを回転させることが可能となり、ネジ保持部を切断することなく外カバーを取り外すことが可能となってしまう。それゆえ、そのような不正を防止すべく、特許文献２の如く、かしめたネジのヘッドに紫外線硬化型の樹脂を滴下した後に当該樹脂に紫外線を照射して硬化させることにより、かしめたネジのヘッドを合成樹脂で覆う技術も開発されている。
【０００５】
【特許文献２】特開平１１−１２８４９９号公報
【発明の開示】
【発明が解決しようとする課題】
【０００６】
しかしながら、上記したネジのヘッドを紫外線硬化型の合成樹脂で覆った遊技機用制御装置は、合成樹脂を紫外線によって硬化させる際に高価な紫外線照射装置を利用しなければならないため、製造コストが高いという不具合がある。また、ネジを保持したネジ保持部の内壁と紫外線硬化樹脂との接着強度が必ずしも十分とはいえないため、硬化させた合成樹脂がネジのヘッドから剥がれ易いという不具合もある。
【０００７】
本発明の目的は、上記従来の遊技機用制御装置の問題点を解消し、制御素子の不正取り替え、不正改造を効果的に防止することが可能な上、安価かつ容易に製造することが可能な遊技機用制御装置を提供することにある。また、非常に容易に遊技機用の制御基板を覆うことが可能であり、覆われた制御素子の不正取り替え、不正改造を効果的に防止することが可能な遊技機の制御基板用収納ユニットを提供することにある。
【課題を解決するための手段】
【０００８】
本発明の内、請求項１に記載された発明は、切断可能なネジ保持部を設けた外カバーと、その外カバーと合致する内カバーとによって、制御素子を設置した制御基板が覆われているとともに、前記ネジ保持部が、ワンウェイタイプのネジによって内カバーに螺着された遊技機用制御装置であって、内カバーに螺着されたネジ保持部内のネジのヘッド部分が、超音波を利用して溶融させた合成樹脂によって覆われていることを特徴とするものである。
【０００９】
請求項２に記載された発明は、遊技機に搭載される制御基板を覆うための制御基板用収納ユニットであって、ワンウェイタイプのネジを保持した切断可能なネジ保持部が設けられた外カバーと、前記各ネジ保持部と螺着するためのネジ螺着部が設けられた内カバーと、前記ネジ保持部内のネジのヘッド部分に溶着させるための合成樹脂製の被覆部材とからなることを特徴とするものである。
【００１０】
請求項３に記載された発明は、請求項２に記載された発明において、前記被覆部材が、扁平な円柱状体の下面の外周際の部分を下向きに突出させたものであることを特徴とするものである。
【発明の効果】
【００１１】
請求項１に記載された制御装置は、ネジ保持部内のネジのヘッドに溶着された合成樹脂を剥がさなければ、ネジ保持部内のネジを露出させることができず、電気ドリル等を利用して無理矢理にネジを回転させることができないので、ネジ保持部を切断することなく外カバーが不正に取り外される事態を効果的に防止することができる。したがって、請求項１に記載された発明の制御装置によれば、制御素子の不正取り替え、不正改造を効果的に防止することができる。それにも拘わらず、必要に応じて、ネジ保持部を切断して外カバーを取り外し、制御基板上に設置された制御素子の内容をチェックすることができる。その上、ネジ保持部内に保持されたネジの外側に合成樹脂を充填して超音波を利用して当該合成樹脂を溶融させるだけで非常に容易にネジのヘッドを合成樹脂で被覆することができるので、非常に安価に、かつ容易に製造することができる。
【００１２】
請求項２に記載された遊技機の制御基板用収納ユニットは、外カバーに切断可能に設けられたネジ保持部内のネジを内カバーに設けられたネジ螺着部に螺着させた後に、各ネジの外側に合成樹脂製の被覆部材を充填して当該被覆部材を超音波を利用して溶融させるだけで、ネジ保持部内のネジのヘッドを合成樹脂で被覆した状態で制御基板の外周を覆うことができる。したがって、請求項２に記載された制御基板用収納ユニットによれば、電気ドリル等の利用によって取付片を切断することなく外カバーが不正に取り外される事態を効果的に防止することが可能となる。また、非常に容易に、ネジ保持部内のネジのヘッドを合成樹脂で被覆した状態にして制御基板の外周を覆うことが可能となる。
【００１３】
請求項３に記載された遊技機の制御基板用収納ユニットは、ネジ保持部内のネジのヘッドを覆うための被覆部材が所定の形状を有しているため、超音波で被覆部材を溶融させた際の被覆部材とネジのヘッドとの溶着強度が非常に高いものとなるので、溶着した合成樹脂が剥がされて電気ドリル等により無理矢理にネジが回転させられる事態を効果的に防止することができる。
【発明を実施するための最良の形態】
【００１４】
以下、本発明の遊技機用制御装置（以下、単に制御装置という）について、図面に基づいて詳細に説明する。図１〜図３は、それぞれ、制御装置の正面図、右側面図、前方斜視図である。制御装置１は、ＲＯＭ８やＣＰＵ等の種々の制御素子を搭載した制御基板４、透明な合成樹脂（ポリカーボネート）製の外カバー６および内カバー５等によって構成されており、後述するように、外カバー６のネジ保持部９内のネジ１３のヘッド１６に被覆部材３が超音波を利用して溶着された状態になっている。なお、外カバー６、内カバー５、および被覆部材３は、制御基板４を収納するための制御基板用収納ユニット（以下、単に収納ユニットという）７を構成するものである。
【００１５】
外カバー６は、幅広な箱形に形成された本体１４の左右両サイドに、それぞれ、４個のネジ保持部９，９・・を、上下および中央に位置した切断可能な取付片１０，１０・・によって一体的に連設したものである。各ネジ保持部９，９・・は、矩形状の支持板１１の前側に略円筒状の保持体１２を設けたものであり、保持体１２の略中央には、ネジ挿通孔２が穿設されている。そして、左上および右上の各ネジ保持部９，９においては、ワンウェイタイプのネジ１３が、ネジ挿通孔２に挿通されている。
【００１６】
図４は、ワンウェイタイプのネジ１３のヘッドを示したものであり、ネジ１３のヘッド１６には、ネジ突起２１，２１が突設されており、軸部２３の先端際にネジ山２２が設けられている。また、ネジ突起２１，２１は、ヘッド１６の外面に対して垂直な面と、ヘッド１６の外面に対して緩やかに傾斜した面とを有している。このため、ネジ突起２１，２１の垂直面にマイナスのドライバを押し当てて右向きに回転させた場合には、ドライバとネジ突起２１，２１の垂直面とが係合して回転するが、ドライバを左向きに回転させた場合には、ヘッド１６上でドライバとネジ突起２１，２１とが係合せず回転しない。
【００１７】
一方、内カバー５は、外カバー６と同一幅で前面を開口した箱状に形成されており、外カバー６の各ネジ保持部９，９・・と対応する位置には、略四角柱状のネジ螺着部４０，４０・・が一体的に突設されている。そして、それらのネジ螺着部４０，４０・・の中央には、それぞれ、ネジ孔１５が穿設されている。
【００１８】
また、図５は、被覆部材３を示したものである。被覆部材３は、薄い黄色に着色した透明な合成樹脂（ポリカーボネート）によって一体成形されており、扁平な円柱状の基台３２の下側にフランジ部３１が設けられているとともに、基台３２の下面に、４個の爪体３３，３３・・が突出するように設けられている。各爪体３３，３３・・は、外周に沿って等間隔に設けられている。また、各爪体３３，３３・・は、基台３２の中心から外に向かって次第に下方に大きく突出するように設けられており、各爪体３３，３３・・の表面によって、ネジ１３のヘッド１６に合致する球面が形成された状態になっている。
【００１９】
制御装置１は、制御基板４を内カバー５の内面に螺着した状態で、外カバー６と内カバー５とを重ね合わせた状態で、ワンウェイタイプのネジ１３，１３によって、左側の最上方のネジ保持部９（「１」を付したネジ保持部９）を左側の最上方のネジ螺着部４０に螺着し、右側の最上方のネジ保持部９（「１」を付したネジ保持部９）を右側の最上方のネジ螺着部４０に螺着することによって、組み付けられている。そして、ＲＯＭ８やＣＰＵ等の種々の制御素子を搭載した制御基板４が、外カバー６および内カバー５によって覆われた状態になっている。
【００２０】
さらに、図６の如く、ネジ螺着部４０と螺着した各ネジ保持部９，９（左右の最上方のネジ保持部９，９）のネジ１３のヘッド１６に被覆部材３が溶着された状態になっている。被覆部材３によってネジ１３のヘッド１６を溶着する際には、外カバー６のネジ保持部９の保持体１２の内部に、被覆部材３を、爪体３３，３３・・を内側にするようにして挿入し、爪体３３，３３・・の表面をネジ１３のヘッド１６に当接させる。そして、その状態で、所定の超音波発生装置の振動子を被覆部材３の外側（フランジ部３１の外面）に接触させて、当該振動子に所定の周波数（たとえば、２８ｋＨｚ）の振動エネルギーを加えることによって、被覆部材を溶融させる。なお、かかる超音波発生装置としては、たとえば、超音波工業株式会社製「超音波プラスチックウエルダ」等を好適に用いることができる。
【００２１】
上記の如く構成された制御装置１は、パチンコ機の裏面側の機構板等に設置された状態で使用される。そして、搭載されたＲＯＭ８やＣＰＵ等の種々の制御素子によって、パチンコ機の作動内容を制御する。
【００２２】
また、制御装置１においては、外カバー６のネジ保持部９，９と内カバー５のネジ螺着部４０，４０とが、ワンウェイタイプのネジ１３，１３によって螺着されており、それらの各ネジ１３，１３のヘッド１６に被覆部材３が溶着されている（被覆部材３が溶融した状態でヘッド１６を覆っている）ため、ネジ１３を螺着時と反対方向（左回り）に回転させることができないので、ネジ保持部９とネジ螺着部４０との螺着状態が解除されない。それゆえ、外カバー６を取り外す場合には、ネジ螺着部４０，４０と螺着したネジ保持部９，９の前方に設けられた取付片１０，１０・・を、ニッパ等の工具で切断し、かかるネジ保持部９，９を外カバー６から切り離すことによって、外カバー６と内カバー５とを分離しなければならない。
【００２３】
また、再度 外カバー６を内カバー５に合着させる場合には、左上および右下のネジ保持部９，９以外のネジ保持部９，９（すなわち、未だネジ螺着部４０と螺着していない同じ番号を付したネジ保持部９，９同士）を、それぞれ、ネジ１３，１３により同位置のネジ螺着部４０，４０と螺着し、それらのネジ１３，１３の各ヘッド１６に被覆部材３を溶着させれば良い。それゆえ、一旦、外カバー６と内カバー５とを分離した後でも、再度、外カバー６を内カバー５に合着させることができ、そのような外カバー６、内カバー５の分離、合着を４回繰り返すことができる。
【００２４】
制御装置１は、上記の如く、外カバー６を内カバー５と分離するためには、取付片１０，１０・・を切断することによりネジ螺着部４０，４０と螺着されたネジ保持部９，９を外カバー６から切り離さなければならないため、外カバー６が取り外された場合には、必ずその痕跡が残る。それゆえ、外カバー６の開閉の有無を容易に把握することができる。それにも拘わらず、各ネジ保持部９，９・・の各取付片１０，１０・・が容易に切断可能な構造を有しているため、それらの取付片１０，１０・・をニッパ等の工具で切断することによって、外カバー６を容易に取り外して、制御基板４上に設置された制御素子の内容をチェックすることができる。その上、ネジ螺着部４０に螺着されたネジ保持部９内のネジ１３のヘッド１６に合成樹脂（被覆部材３）が溶着されており、当該合成樹脂を引き剥がさなければ、ネジ１３のヘッド１６を露出させることができず、電気ドリル等を利用して無理矢理にネジ１３を回転させることができないので、取付片１０，１０・・を切断することなく外カバー６が不正に取り外される事態を効果的に防止することができる。したがって、制御装置１によれば、制御素子の不正取り替え、不正改造を効果的に防止することができる。そのような効果を奏するにも拘わらず、必要に応じて、ネジ保持部９，９の取付片１０，１０・・を切断して外カバー６を取り外し、制御基板４上に設置された制御素子の内容をチェックすることができる。その上、ネジ保持部９，９内に保持された各ネジ１３の外側に合成樹脂製の被覆部材３を充填して超音波を利用して当該被覆部材３を溶融させるだけで非常に容易に各ネジ１３，１３のヘッド１６を合成樹脂で被覆することができるので、非常に安価に、かつ容易に製造することができる。
【００２５】
また、外カバー６、内カバー５、および被覆部材３からなる収納ユニット７は、上記の如く、外カバー６に切断可能に設けられたネジ保持部９，９内の各ネジ１３，１３を内カバー５に設けられたネジ螺着部４０，４０に螺着させた後に、各ネジ１３，１３の外側に合成樹脂製の被覆部材３を充填して当該被覆部材３を超音波を利用して溶融させるだけで、各ネジ保持部９，９内のネジ１３のヘッド１６を合成樹脂で被覆した状態で制御基板４の外周を覆うことができる。したがって、収納ユニット７によれば、電気ドリル等の利用によって取付片１０，１０・・を切断することなく外カバー６が不正に取り外される事態を効果的に防止することが可能となる。また、非常に容易に、各ネジ保持部９，９内のネジ１３のヘッド１６を合成樹脂で被覆した状態にして制御基板４の外周を覆うことが可能となる。
【００２６】
加えて、収納ユニット７は、各ネジ保持部９，９内のネジ１３のヘッド１６を覆うための被覆部材３が円柱状の基台３２から爪体３３，３３・・を下方に突出させた形状を有しているので、超音波で被覆部材３を溶融させた際の被覆部材３と各ネジ１３，１３のヘッド１６との溶着強度が非常に高いものとなるので、溶着した合成樹脂が剥がされて電気ドリル等により無理矢理にネジ１３，１３が回転させられる事態を効果的に防止することができる。
【００２７】
なお、本発明の制御装置および制御基板用ユニットは、上記実施形態の態様に何ら限定されるものではなく、制御基板、外カバー、内カバー、ワンウェイタイプのネジ、被覆部材等の形状、構造等の構成を本発明の趣旨を逸脱しない範囲内で適宜変更することができる。
【００２８】
たとえば、外カバーに設けるネジ保持部の個数は、４個に限定されず、３個以下あるいは５個以上でも良い。また、外カバーの本体とネジ保持部とを連結する取付片の個数も、３個に限定されず、２個以下でも良いし、４個以上でも良い。さらに、ネジ保持部の設置位置は、外カバーの左右両端縁に限定されず、外カバーの上下両端縁でも良い。
【００２９】
また、被覆部材の形状は、上記実施形態の如く、扁平な円柱状の基台から複数の爪体を下方に突出させた形状に限定されず、単純な円柱状等に変更することも可能である。加えて、被覆部材の材質も、上記実施形態の如く、ポリカーボネートに限定されず、アクリル樹脂、ＰＭＭＡ（メタクリル酸樹脂）、ポリスチレン、ＡＢＳ樹脂、ＰＰＯ（ポリフェニレンオキサイド）、ＰＯＭ（ポリアセタール）、ポリ塩化ビニル、ポリオレフィン、ポリエステル、ＰＰＳ（ポリフェニレンサルファイド）等の樹脂あるいはそれらの混合物、変成物等に変更することも可能である。
【００３０】
加えて、制御装置の内外カバーは、上記実施形態の如く、ポリカーボネートのみによって形成されたものに限定されず、ポリカーボネート以外の合成樹脂によって形成したものや、ポリカーボネートとその他の合成樹脂とからなる混合樹脂、あるいはポリカーボネート以外の２種以上の混合樹脂によって形成したもの等に変更することも可能である。なお、上記実施形態の如く、外カバーに設けるネジ保持体の材質と被覆部材の材質とを同一にした場合には、被覆部材がネジのヘッドのみならずネジ保持体の内壁とも溶着するため、合成樹脂によるネジの被覆強度がきわめて高いものとなる、というメリットがある。
【００３１】
加えて、ネジ保持部を螺着するために用いるワンウェイタイプのネジは、上記実施形態の如く、先端が平坦なネジに限定されず、先端の尖った木ネジ等の他の形状を有するものでも良い。加えて、ヘッドに２個のネジ突起が設けられたものに限定されず、４個のネジ突起が設けられたプラスタイプのドライバで回転可能なもの等でも良い。
【００３２】
なお、上記実施形態においてはパチンコ機に使用される制御装置について説明したが、本発明の制御装置が使用される遊技機は、スロットマシーンやテレビゲーム等のパチンコ機以外の遊技機でも良い。
【図面の簡単な説明】
【００３３】
【図１】遊技機用制御装置の正面図である。
【図２】遊技機用制御装置の右側面図である。
【図３】遊技機用制御装置の前方斜視図である。
【図４】ワンウェイタイプのネジを示す正面図である（ａは平面図であり、ｂはヘッド部分の右側面図であり、ｃは平面図である）。
【図５】被覆部材を示す説明図である（ａは正面図であり、ｂは底面図である）。
【図６】ネジ保持部を拡大して示す説明図である。
【符号の説明】
【００３４】
１・・制御装置
３・・被覆部材
４・・制御基板
５・・内カバー
６・・外カバー
７・・収納ユニット
８・・制御素子  
９・・ネジ保持部
１０・・取付片
１３・・ネジ
１６・・ヘッド
３３・・爪体
４０・・ネジ螺着部
【図１】
2009201694.tif 000003
【図２】
2009201694.tif 000004
【図３】
2009201694.tif 000005
【図４】
2009201694.tif 000006
【図５】
2009201694.tif 000007
【図６】
2009201694.tif 000008